(57)【要約】【課題】綴じリングの配列ピッチが異なる複数種類のリング綴じ冊子のいずれにも綴り込むことができる綴込ファイルを提供する。【解決手段】配列ピッチが異なる２種類の綴じリングのピッチずれΔｎがない基準位置と、基準位置の両側で、ピッチずれΔｎが極小となる第１基準位置と第２基準位置間に、綴じリングに係合する係合部を形成し、係合部の一対のフックの間に形成される嵌入凹溝で、極小のピッチずれΔｎを吸収させることにより、配列ピッチが異なる２種類の綴じリングのいずれにも係合部を係合可能として、綴込ファイルを取り付ける。【選択図】図２
2010012725.tif 000002
【特許請求の範囲】
【請求項１】
用紙の一辺に沿って等ピッチで穿設された綴じ穴に、綴じ穴と同ピッチに配列される綴じリングを挿通し、多数枚の用紙を綴じ合わせたリング綴じ冊子に対し、綴じリングに対向する綴じ辺に形成した係合部を綴じリングに係合し、リング綴じ冊子に着脱自在に取り付ける綴込ファイルであって、
係合部は、綴じ辺から綴じリングの方向に突設される一対のフックを有し、一対のフックの間に、綴じリングを挿入可能な挿入溝と、挿入溝に連通し、綴じリングを遊嵌する嵌入凹溝が形成され、
綴じリングに対向する綴じ辺の少なくとも３カ所の位置に形成される係合部は、第１ピッチで配列される複数の第１綴じリングの第１基準リングＡ０と第２ピッチで配列される複数の第２綴じリングの第２基準リングを配列方向沿って同一位置に整列させた位置を基準位置と、第１基準リングＡ０からｎ番目の第１綴じリングＡｎとその第１綴じリングＡｎに最も接近する第２綴じリングとのピッチずれΔｎが極小となる第１綴じリングＡｎの位置を第１極小位置と、前記第１極小位置に最も接近する第２綴じリングの位置を第２極小位置としたときに、中央の係合部からその両側の係合部までの綴じ辺に沿った間隔が、基準位置から第１極小位置と第２極小位置間までの間隔となる各位置に形成され、
両側の各係合部の嵌入凹溝と該嵌入凹溝に遊嵌される綴じリングとの隙間で、第１ピッチと第２ピッチのピッチずれΔｎを吸収し、第１ピッチの第１綴じリングと第２ピッチの第２綴じリングのいずれにも、少なくとも３カ所の位置で係合部を係合させることを特徴とする綴込ファイル。
【請求項２】
綴じ辺に沿った中央の係合部との間隔が第１ピッチの整数倍となるいずれかの位置で他の係合部と干渉しない位置に第１中間係合部と、綴じ辺に沿った中央の係合部との間隔が第２ピッチの整数倍となるいずれかの位置で他の係合部と干渉しない位置に第２中間係合部が形成され、
第２中間係合部が切断された残る係合部を第１綴じリングに、第１中間係合部が切断された残る係合部を第２綴じリングに係合させることを特徴とする請求項１に記載の綴込ファイル。
【請求項３】
第１ピッチが１／３インチ、第２ピッチが９．５ｍｍであることを特徴とする請求項１又は２のいずれか１項に記載の綴込ファイル。
【発明の詳細な説明】
【技術分野】
【０００１】
本発明は、開閉しない綴じリングにより多数枚の用紙が綴じ合わされたリング綴じ冊子に着脱自在に取り付ける綴込ファイルに関し、更に詳しくは、綴じリングのピッチが異なるいずれのリング綴じ冊子に対しても取り付けることができる綴込ファイルに関する。
【背景技術】
【０００２】
綴じリングの一部を開閉するリングバインダ金具を用いて多数枚の用紙を綴じ合わせるバインダファイルは、構造が複雑大型化し重量も増すので、持ち運びにそぐわず、そこで、開閉しない綴じリングを用紙の綴じ穴に挿通させて、半永久的に多数枚の用紙を綴り合わせたノート、手帳などの簡易型のリング綴じ冊子が提供されている。
【０００３】
この簡易型のリング綴じ冊子は、綴じリングが開閉せず、綴り合わせる用紙を加除することができないので、図４に示すように、リング綴じ冊子１０１へ綴り合わせた用紙と別に、新たに取り付ける綴込ファイル１００に、綴じリング１０２を挿入可能な挿入溝１０３と綴じリング１０２を嵌入させる綴じ穴１０４を連設した綴込ファイル１００が提案されている（特許文献１）。
【０００４】
この綴込ファイル１００は、綴じリング１０２に対抗する綴じ辺に沿って綴じリング１０２と同ピッチ（Ｌ）で形成された複数の挿入溝１０３へそれぞれ綴じリング１０２を挿入させて綴じ穴１０４まで案内し、各綴じ穴１０４に綴じリング１０２を嵌入させて、綴じリング１０２が開閉しないリング綴じ冊子１０１に対して、着脱自在に取り付けている。
【０００５】
また、綴じリングの数や配列位置が異なるバインダファイルに対して、いずれのバインダファイルの綴じリングであっても綴じ穴へ挿通できるように、綴じ穴を長孔とした綴込ファイルが提案されている（特許文献２）。この綴込ファイルによれば、２穴用、３穴用、多穴用に応じて配列された綴じリングがすべて共通の綴じ孔に挿通するように、綴じ穴を長孔としたもので、バインダファイルの綴じリングが異なる位置に配置されていても、綴じリングを綴じ穴へ挿通させ、共通のバインダファイルに対して綴込ファイルを綴じ込むことができる。  
【０００６】
【特許文献１】実用新案登録第３０５０２１６号公報（明細書の項目００１１乃至項目００１５、図１）
【特許文献２】特許第３２４０５１０号公報（明細書の項目００３１乃至項目００３７、図１３）
【発明の開示】
【発明が解決しようとする課題】
【０００７】
上述の綴込ファイル１００によれば、綴じリング１０２が開閉しないリング綴じ冊子１０１に対して綴じ込むことができるが、リング綴じ冊子１０１には、国内規格と国際規格に基づいて綴じリングの配列ピッチが異なる複数種類のリング綴じ冊子が市販され、綴じリングの配列ピッチが異なるリング綴じ冊子には、挿入溝１０３、１０３間の綴じリングに対抗する綴じ辺がピッチの異なる綴じリングと干渉するので、綴じ込むことができない。そこで、綴じリングが開閉しないリング綴じ冊子に綴じ込む綴込ファイルは、綴じリングのピッチが異なるリング綴じ冊子毎に用意する必要があり、リング綴じ冊子の綴じリングのピッチと挿入溝１０３のピッチが異なる綴込ファイルを誤って購入した利用者は、綴込ファイルを利用できないという問題があった。
【０００８】
特許文献２に記載の綴込ファイルのように、異なるピッチの綴じリングのいずれも挿入溝１０３へ挿入できるようにその溝幅を広げると、綴じ穴から綴じリングが抜け出て綴り込むことができず、一方、挿入溝１０３、１０３の間に、別のピッチの綴じリングに合わせた挿入溝をこれらの挿入溝１０３に連通しないように形成することは極めて困難であり、仮に形成できたとしても、隣り合う挿入溝間が接近して細幅となるので、綴じリングに係合する充分な強度が得られず、結局、綴じリングが開閉しないリング綴じ冊子については、綴じリングのピッチが異なる複数種類のリング綴じ冊子に対して、共通の綴込ファイルを取り付けることはできなかった。
【０００９】
本発明は、このような従来の問題点を考慮してなされたものであり、綴じリングが開閉しないリング綴じ冊子で、綴じリングの配列ピッチが異なる複数種類のリング綴じ冊子のいずれにも綴り込むことができる綴込ファイルを提供することを目的とする。
【課題を解決するための手段】
【００１０】
上述の目的を達成するため、請求項１の綴込ファイルは、用紙の一辺に沿って等ピッチで穿設された綴じ穴に、綴じ穴と同ピッチに配列される綴じリングを挿通し、多数枚の用紙を綴じ合わせたリング綴じ冊子に対し、綴じリングに対向する綴じ辺に形成した係合部を綴じリングに係合し、リング綴じ冊子に着脱自在に取り付ける綴込ファイルであって、係合部は、綴じ辺から綴じリングの方向に突設される一対のフックを有し、一対のフックの間に、綴じリングを挿入可能な挿入溝と、挿入溝に連通し、綴じリングを遊嵌する嵌入凹溝が形成され、綴じリングに対向する綴じ辺の少なくとも３カ所の位置に形成される係合部は、第１ピッチで配列される複数の第１綴じリングの第１基準リングＡ０と第２ピッチで配列される複数の第２綴じリングの第２基準リングを配列方向沿って同一位置に整列させた位置を基準位置と、第１基準リングＡ０からｎ番目の第１綴じリングＡｎとその第１綴じリングＡｎに最も接近する第２綴じリングとのピッチずれΔｎが極小となる第１綴じリングＡｎの位置を第１極小位置と、前記第１極小位置に最も接近する第２綴じリングの位置を第２極小位置としたときに、中央の係合部からその両側の係合部までの綴じ辺に沿った間隔が、基準位置から第１極小位置と第２極小位置間までの間隔となる各位置に形成され、
両側の各係合部の嵌入凹溝と該嵌入凹溝に遊嵌される綴じリングとの隙間で、第１ピッチと第２ピッチのピッチずれΔｎを吸収し、第１ピッチの第１綴じリングと第２ピッチの第２綴じリングのいずれにも、少なくとも３カ所の位置で係合部を係合させることを特徴とする。
【００１１】
中央の係合部は、第１綴じリングの第１基準リングＡ０と第２綴じリングの第２基準リングが同一位置となる基準位置に形成されるので、第１綴じリングと第２基準リングのいずれも挿入溝から挿入されて嵌入凹溝に遊嵌される。両側の係合部は、第１ピッチと第２ピッチのピッチずれΔｎが極小となる第１極小位置と第２極小位置間に形成されるので、第１極小位置と第２極小位置に形成される第１綴じリングと第２綴じリングを、それぞれ挿入溝から挿入して、ピッチずれΔｎを吸収する溝幅に形成された嵌入凹溝内に遊嵌させることができる。
従って、第１ピッチと第２ピッチで配列ピッチの異なるいずれの綴じリングへも、共通の綴込ファイルの少なくとも３カ所の位置で係合部を係合させて、綴じこむことができる。
【００１２】
請求項２の綴込ファイルは、綴じ辺に沿った中央の係合部との間隔が第１ピッチの整数倍となるいずれかの位置で他の係合部と干渉しない位置に第１中間係合部と、綴じ辺に沿った中央の係合部との間隔が第２ピッチの整数倍となるいずれかの位置で他の係合部と干渉しない位置に第２中間係合部が形成され、第２中間係合部が切断された残る係合部を第１綴じリングに、第１中間係合部が切断された残る係合部を第２綴じリングに係合させることを特徴とすることを特徴とする。
【００１３】
第１中間係合部は、中央の係合部との間隔が第１ピッチの整数倍となる位置に形成されるので、ピッチずれなく、第１ピッチで配列される第１綴じリングを嵌入凹溝へ遊嵌させることができ、綴込ファイルは、第２中間係合部を切断することにより、第１ピッチで綴じリングが配列されるリング綴じ冊子へ、少なくとも４カ所の位置で係合して綴じ込まれる。
【００１４】
また、第２中間係合部は、中央の係合部との間隔が第２ピッチの整数倍となる位置に形成されるので、ピッチずれなく、第２ピッチで配列される第２綴じリングを嵌入凹溝へ遊嵌させることができ、綴込ファイルは、第１中間係合部を切断することにより、第２ピッチで配列されるリング綴じ冊子へ、少なくとも４カ所の位置で係合して綴じ込まれる。
【００１５】
請求項３の綴込ファイルは、第１ピッチが１／３インチ、第２ピッチが９．５ｍｍであることを特徴とする。
【００１６】
第１ピッチで配列される第１綴じリングは、基準位置から９番目と１８番目の綴じリングＡ９、Ａ１８で第２ピッチの第２綴じリングとのピッチずれΔｎが極小となる第１極小位置となり、この第１極小位置では、１／２インチで配列される綴じリングとのピッチずれもなくなる。綴じリングが開閉しないリング綴じ冊子の大部分の綴じリングの配列ピッチは、国際規格（ＩＳＯ規格）の１／２インチ若しくは１／３インチ、又は国内規格（ＪＩＳ規格）の９．５ｍｍピッチのいずれかであるので、第１極小位置と第２極小位置との間に係合部を形成すれば、大部分のリング綴じ冊子に対して、少なくとも３カ所の位置で係合部を係合させて共通の綴込ファイルを綴じ込むことができる。
【発明の効果】
【００１７】
請求項１の発明によれば、綴じリングが開閉しないリング綴じ冊子で、綴じリングの配列ピッチが異なるリング綴じ冊子のそれぞれについて、綴込ファイルを用意する必要がなく、綴じリングの配列ピッチを考慮することなく、綴込ファイルを利用できる。
【００１８】
請求項２の発明によれば、リング綴じ冊子の綴じリングの配列ピッチに応じて、配列ピッチに一致しない第１中間係合部と第２中間係合部のいずれかを切断することにより、少なくとも４カ所の位置で係合部と綴じリングが係合し、共通の綴込ファイルをピッチの異なるいずれのリング綴じ冊子に対しても強固に綴じ込むことができる。
【００１９】
請求項３の発明によれば、綴じリングの配列ピッチは、国際規格（ＩＳＯ規格）の１／２インチ若しくは１／３インチ、又は国内規格（ＪＩＳ規格）の９．５ｍｍピッチのいずれかである綴じリングが開閉しないほぼ全てのリング綴じ冊子に対して、同一構成とした綴込ファイルを綴じ込むことができる。
【発明を実施するための最良の形態】
【００２０】
以下、本発明の一実施の形態に係る綴込ファイル１を、図１乃至図３を用いて説明する。図１は、Ｂ６判サイズの多数枚の用紙が綴られたリング綴じ冊子である手帳１０に、綴込ファイル１を綴じ合わせた状態を示す一部を省略した斜視図、図２は、綴込ファイル１の一部省略平面図、図３は、綴じリング２の国際規格と国内規格の配列ピッチと相互のピッチずれΔｎの関係を説明する説明図である。
【００２１】
図１、図２に示すように、本実施の形態に係る綴込ファイル１は、透明な硬質プラスチックシートからなるベースシート１１と、半透明な可撓性プラスチックシートからなるカバーシート１２から構成され、ベースシート１１の綴込側の一辺（以下、綴じ辺という）を除いて長方形状に形成された周囲の３辺に沿った縁と、同一外形で重ねられるカバーシート１２の周囲の３辺の縁が、接着、加熱溶着などの固着手段で固着され、綴じ辺側に開口するポケット１３が形成されている。
【００２２】
ポケット１３には、綴込ファイル１を取り付けるリング綴じ冊子１０に加除できないようなメモ書き、鉄道路線図などを収容するもので、本実施の形態では、リング綴じ冊子である手帳１０に加除できないカレンダー（図示せず）を、年度毎に交換可能なように収容している。
【００２３】
ベースシート１１の綴じ辺には、綴じ辺に沿った７カ所の位置に、一対のフック４１、４１からなる係合部４が一体に形成されている。フック４１は、先端側が曲面となった鉤形に形成され、一対のフック４１、４１が、突出方向と平行な直線について線対称の鉤形形に形成されることにより、図２に示すように、その間に挿入溝４２と嵌入凹溝４３が連通して形成される。挿入溝４２の溝幅は、手帳１０の綴じリング２の外径に略等しく、嵌入凹溝４３の綴じ辺に沿った幅は、挿入溝４２の溝幅より広く、後述するピッチずれΔｎが生じる２種類の綴じリング２のいずれをも遊嵌させることが可能な充分な幅となっている。
【００２４】
ほぼ長方形状の綴込ファイル１の大きさは、取り付けるリング綴じ冊子１０に綴られる用紙３からその周囲がはみ出さないように、用紙３の外形より小さい外形となっていて、例えば、図１に示す手帳１０に綴られる用紙３は、Ｂ６判サイズの縦１８２ｍｍ、横１２８ｍｍであるので、ここでは、縦幅が１８０ｍｍ、係合部４を含めた横幅が１２８ｍｍの外形で形成されている。
【００２５】
綴じ辺に沿った７カ所の位置に形成される係合部４（４Ｏ、４Ａ、４Ａ’、４Ｂ、４Ｂ’、４Ｃ、４Ｃ’）の形成位置は、国際規格（ＩＳＯ規格）の１／２インチ若しくは１／３インチ、又は国内規格（ＪＩＳ規格）の９．５ｍｍピッチで配列される綴じリング２のピッチから決定される。以下、この形成位置の決定方法を図３の説明図を用いて説明する。
【００２６】
リング綴じ冊子１０に取り付けられ、小型、軽量化する目的でバインダ機構を用いずにリング自体が開閉しない綴じリング２として、１本若しくは２本の線材を、用紙３の多数の綴じ穴５に螺旋状に巻回させて挿通させるスパイラルリングや、図１に示すような綴じ穴５毎に２本のリングを挿通させるツインリングなどが市販されているが、いずれも用紙３の多数の綴じ穴５に挿通させるように、綴じリング２間のピッチを綴じ穴５のピッチに一致させている。この用紙の綴じ穴５のピッチ、すなわち綴じリング２間のピッチは、図３に示すように、Ａ判サイズの用紙について定められた国際規格（ＩＳＯ規格）の１／２インチ若しくは１／３インチと、Ｂ判サイズの用紙３について定められた国内規格（ＪＩＳ規格）の９．５ｍｍピッチとで、異なっている。
【００２７】
つまり、綴じ穴のピッチが１／２インチであるＡ判サイズの用紙を綴るリング綴じ冊子の隣り合う綴じリングＡ’ｎ間の間隔は、１／２インチ（２５．４／２ｍｍ）であり、同様に、綴じ穴のピッチが１／３インチであるＡ判サイズの用紙を綴る綴じリングＡｎ間の間隔は、１／３インチ（２５．４／３ｍｍ）、綴じ穴のピッチが９．５ｍｍであるＢ判サイズの用紙を綴る綴じリングＢｎ間の間隔は、９．５ｍｍである。
【００２８】
ここで、ピッチが１／３インチの綴じリングＡｎと、ピッチが９．５ｍｍの綴じリングＢｎのピッチずれΔｎを比較するために、綴じリングＡ０と綴じリングＢ０を同一の基準位置に配置し、配列方向に沿って基準位置からの距離を比較すると、基準位置からｎ番目の綴じリングＡｎと、その綴じリングＡｎに最も接近する綴じリングＢとの配列方向に沿ったピッチずれΔｎは、図示するように、ｎの増加に伴って一定範囲で増減し、一定の周期で、ｎ番目の綴じリングＡｎについてのピッチずれΔｎは、その前後の綴じリングＡｎ−１、Ａｎ＋１のピッチずれΔｎ−１、Δｎ＋１に対して極小となる。具体的には、綴じリングＡ０から９番目（ｎ＝９）の綴じリングＡ９と１８番目（ｎ＝１８）の綴じリングＡ１８において、それぞれ最も接近する綴じリングＢ８、綴じリングＢ１６とのピッチずれΔ９、Δ１８は、−０．２ｍｍ、−０．４ｍｍの極小となる。以下、綴じリングＡｎについて、綴じリングＢとのピッチずれΔｎが極小となる綴じリングＡｎ（Ａ９、Ａ１８）の位置を第１極小位置と、綴じリングＢｎについて、綴じリングＡとのピッチずれΔｎが極小となる綴じリングＢｎ（Ｂ８、Ｂ１６）の位置を第２極小位置という。
【００２９】
このピッチずれΔｎが極小となる第１極小位置と第２極小位置間では、ピッチの異なる２種類の綴じリングＡｎ、Ｂｎのいずれに対する位置ずれもわずかであるので、本発明では、図２に示すように、両者が同一位置にある基準位置に係合部４Ｏを形成すると共に、基準位置から綴じ辺に沿って上下にＬ１離れた第１極小位置と第２極小位置間に共通の係合部４Ｃ、４Ｃ’を形成し、２種類の綴じリングＡｎ、Ｂｎのいずれにも、干渉することなく、係合部４Ｏと係合部４Ｃ、４Ｃ’をそれぞれ係合させる。
【００３０】
また、本実施の形態では、基準位置に形成される係合部４Ｏと、その上下にＬ１離れた第１極小位置と第２極小位置間に形成される係合部４Ｃ、４Ｃ’との間で、他の係合部４と重ならず、それぞれ綴じリングＡｎ、Ｂｎのいずれかのピッチに一致する中間位置に、中間の係合部４Ａ、４Ａ’、４Ｂ、４Ｂ’が形成される。すなわち、図２に示すように、係合部４Ａ、４Ａ’は、綴じリングＡｎのピッチに一致する綴じリングＡ３、Ａ３の位置に、係合部４Ｂ、４Ｂ’は、綴じリングＢｎのピッチに一致する綴じリングＢ５、Ｂ５の位置にそれぞれ形成される。
【００３１】
尚、図３から明らかなように、ピッチが１／２インチの綴じリングＡ’ｎと、ピッチが１／３インチである綴じリングＡｎは、基準位置、第１極小位置及び上記中間位置においても同一位置にあるので、綴じリングＡ０、Ａ３、Ａ９の位置に形成される係合部４Ｏ、４Ａ、４Ａ’、４Ｃ、４Ｃ’は、同じ位置にある綴じリングＡ’０、Ａ’２、Ａ’６とも干渉することなく、係合する。従って、ピッチが１／３インチである綴じリングＡｎに係合させる綴込ファイル１は、その構成を変更することなく、ピッチが１／２インチの綴じリングＡ’ｎへも係合させることができる。
【００３２】
このように構成された図２に示す綴込ファイル１は、取り付けるリング綴じ冊子１０がＢ判サイズの用紙３を綴る冊子である場合には、ＪＩＳ規格に準拠する綴じリングＢｎであるので、綴じリングＡｎの配列ピッチに一致する係合部４Ａ、４Ａ’を綴じ辺から切断し、残る係合部４Ｏ、４Ｂ、４Ｂ’、４Ｃ、４Ｃ’を対応部位に位置する綴じリング２（Ｂ０、Ｂ５、Ｂ８）へ係合させる。
【００３３】
図１は、Ｂ６判サイズの用紙３が綴じリング２によって綴られた手帳１０であるので、この手帳１０に綴込ファイル１を取り付ける際には、係合部４Ａ、４Ａ’を切断した綴込ファイル１の綴じ辺を綴じリング２へ接近させる。綴込ファイル１側の係合部４Ｏ、４Ｂ、４Ｂ’、４Ｃ、４Ｃ’は、それぞれ綴じリング２（Ｂ０、Ｂ５、Ｂ８）に対向するので、各綴じリング２は、係合部４の湾曲面とした一対のフック４１によって、挿通溝４２からその内奥で連通する嵌入凹溝４３まで案内され、嵌入凹溝４３に挿入される。このとき、係合部４Ｃ、４Ｃ’の嵌入凹溝４３の中心と、綴じリング２（Ｂ８）の中心は、完全に一致しないが、その誤差は、少なくとも極小値のピッチずれΔ８以下であるので、ピッチずれΔ８を吸収する幅に形成された嵌入凹溝４３内に遊嵌される。従って、図示するように、綴込ファイル１は、５カ所の位置に形成された係合部４Ｏ、４Ｂ、４Ｂ’、４Ｃ、４Ｃ’で綴じリング２に係合して、取り付けられる。
【００３４】
また、取り付けるリング綴じ冊子１０がＡ判サイズの用紙を綴る冊子である場合には、ＩＳＯ規格に準拠する綴じリングＡｎ若しくはＡ’ｎであるので、綴じリングＢｎの配列ピッチに一致する係合部４Ｂ、４Ｂ’を綴じ辺から切断し、残る係合部４Ｏ、４Ａ、４Ａ’、４Ｃ、４Ｃ’を同様に対応部位に位置する綴じリング２へ係合させて取り付ける。この取り付けの際にも、係合部４Ｃ、４Ｃ’の嵌入凹溝４３の中心と、綴じリング２（Ａ９若しくはＡ’６）の中心は、完全に一致しないが、その誤差は、少なくとも極小値のピッチずれΔ９以下であるので、ピッチずれΔ９を吸収する幅に形成された嵌入凹溝４３内に、干渉することなく遊嵌される。
【００３５】
上述の実施の形態では、リング綴じ冊子１０の綴じリング２のピッチが国際規格か国内規格のいずれかによって、他側のピッチに合わせた中間の係合部４Ａ、４Ａ’、４Ｂ、４Ｂ’のいずれかを切断したが、３カ所の位置に形成された係合部４Ｏ、４Ｃ、４Ｃ’で充分な強度で取り付けることができれば、中間の係合部４Ａ、４Ａ’、４Ｂ、４Ｂ’を設けずに、従って切断作業を要せず、いずれのリング綴じ冊子へも取り付けることができる。
【００３６】
また、第１極小位置と第２極小位置間に形成する係合部４Ｃ、４Ｃ’は、基準位置から最も近い第１極小位置（綴じリングＡ９）と第２極小位置（綴じリングＢ８）の位置の間にあるが、図３に示すように、第１極小位置と第２極小位置は、基準位置からの距離に応じて周期的に発生するので、例えば、係合部４Ｃ、４Ｃ’を、前記綴じリングＡ９と綴じリングＢ８間の位置に加えて、若しくは別に、他の第１極小位置（綴じリングＡ１８）と第２極小位置（綴じリングＢ１６）間に形成してもよい。
【００３７】
また、上記実施の形態では、綴込ファイル１の大きさを、リング綴じ冊子に綴られる用紙より小さい外形としたが、用紙から分けて綴込ファイル１を見開きやすいように、用紙の外形からはみ出る大きさであってもよい。
【００３８】
更に、リング綴じ冊子は、Ｂ６判サイズの用紙３が綴られた手帳１０で説明したが、綴じリングによって多数枚のファイル、シート類、用紙が綴られるものであれば、ノート、アルバムなどであってもよい。
【産業上の利用可能性】
【００３９】
本発明は、多数枚の用紙が開閉しない綴じリングで綴られるリング綴じ冊子へ着脱自在に取り付ける綴込ファイルに適している。
【図面の簡単な説明】
【００４０】
【図１】本発明の一実施の形態に係る綴込ファイル１の使用状態を示す斜視図である。
【図２】綴込ファイル１の一部省略平面図である。
【図３】綴じリング２の国際規格と国内規格の配列ピッチと相互のピッチずれΔｎの関係を説明する説明図である。
【図４】従来の綴込ファイル１００を示す斜視図である。
【符号の説明】
【００４１】
１    綴込ファイル
２    綴じリング
３    用紙
４    係合部
５    綴じ穴
１０  リング綴じ冊子
４１  フック
４２  挿入溝
４３  嵌入凹溝
Ａｎ  第１綴じリング
Ｂｎ  第２綴じリング
４Ｏ         中央の係合部
４Ａ、４Ａ’  第１中間係合部
４Ｂ、４Ｂ’  第２中間係合部
４Ｃ、４Ｃ’  両側の係合部
【図１】
2010012725.tif 000003
【図２】
2010012725.tif 000004
【図３】
2010012725.tif 000005
【図４】
2010012725.tif 000006